【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
ソフトウェア有効化アクセスポイント（ＳｏｆｔＡＰ）によるビーコニングのための方法であって、
第１のビーコン間隔にしたがって、前記ＳｏｆｔＡＰから局に第１のビーコンを送信することと、
前記第１のビーコン間隔を第２のビーコン間隔に変更すると動的に決定することと、
前記第１のビーコン間隔にしたがって、前記ＳｏｆｔＡＰによって、前記第１のビーコン間隔を用いた１つまたは複数のビーコンの送信の後に前記第１のビーコン間隔が前記第２のビーコン間隔に変更されることを示す指示を含む第２のビーコンを送信することと、
を備える、方法。
【請求項２】
前記第１のビーコン間隔が前記第２のビーコン間隔に変更されることを示す前記指示は、前記第２のビーコンの情報要素に含まれる、請求項１に記載の方法。
【請求項３】
前記第１のビーコン間隔を動的に変更することが、前記第１のビーコン間隔を時間量だけ動的に増加させることを備え、ここにおいて、前記時間量が、前記ＳｏｆｔＡＰへのおよび前記ＳｏｆｔＡＰからのデータアクティビティに少なくとも部分的に基づく、請求項１に記載の方法。
【請求項４】
前記第１のビーコン間隔を動的に変更することが、前記第１のビーコン間隔を第１の一定の時間量だけ動的に増加させることをさらに備える、請求項１に記載の方法。
【請求項５】
第３のビーコン間隔を決定するために、前記第２のビーコン間隔を前記第１の一定の時間量だけ増加させることと、
前記第２のビーコン間隔を用いた１つまたは複数のビーコンの送信の後に前記第２のビーコン間隔が前記第３のビーコン間隔に変更されることを示す指示を送信することと、
をさらに備える、請求項４に記載の方法。
【請求項６】
第２の一定の時間量を決定するために、前記第１の一定の時間量を第１の値だけ増加させることと、
第３のビーコン間隔を決定するために、前記第２のビーコン間隔を前記第２の一定の時間量だけ増加させることと、
前記第２のビーコン間隔を用いた１つまたは複数のビーコンの送信の後に前記第２のビーコン間隔が前記第３のビーコン間隔に変更されることを示す指示を送信することと、
をさらに備える、請求項４に記載の方法。
【請求項７】
第３の一定の時間量を決定するために、前記第２の一定の時間量を第２の値だけ増加させることと、ここにおいて、前記第２の値が前記第１の値の整数倍である、
第４のビーコン間隔を決定するために、前記第３のビーコン間隔を前記第３の一定の時間量だけ増加させることと、
前記第４のビーコン間隔にしたがって、前記第３のビーコン間隔を用いた１つまたは複数のビーコンの送信の後に前記第３のビーコン間隔が前記第４のビーコン間隔に変更されることを示す指示を含む第４のビーコンを送信することと、
をさらに備える、請求項６に記載の方法。
【請求項８】
ユーザデバイスであって、
１つまたは複数のプロセッサと、
前記１つまたは複数のプロセッサによって実行されたとき、前記ユーザデバイスに、ソフトウェア有効化アクセスポイント（ＳｏｆｔＡＰ）として働くことを行わせる複数の機械可読命令を記憶するための１つまたは複数のメモリと
を備え、前記ＳｏｆｔＡＰは、
第１のビーコン間隔にしたがって、前記ユーザデバイスから局に第１のビーコンを送信することと、
第２のビーコン間隔を決定するために、前記第１のビーコン間隔を動的に変更すると動的に決定することと、
前記第１のビーコン間隔にしたがって、前記ＳｏｆｔＡＰによって、前記第１のビーコン間隔を用いた１つまたは複数のビーコンの送信の後に前記第１のビーコン間隔が前記第２のビーコン間隔に変更されることを示す指示を含む第２のビーコンを送信することと
を行うように構成される、ユーザデバイス。
【請求項９】
前記第１のビーコン間隔が前記第２のビーコン間隔に変更されることを示す前記指示は、前記第２のビーコンの情報要素に含まれる、請求項８に記載のユーザデバイス。
【請求項１０】
前記ＳｏｆｔＡＰは、前記第１のビーコン間隔を動的に変更させるときに、前記第１のビーコン間隔を時間量だけ動的に増加させることを行うようにさらに構成され、ここにおいて、前記時間量が、前記ユーザデバイスへのおよび前記ユーザデバイスからのデータアクティビティに少なくとも部分的に基づく、請求項８に記載のユーザデバイス。
【請求項１１】
前記ＳｏｆｔＡＰは、前記第１のビーコン間隔を動的に変更させるときに、前記第１のビーコン間隔を第１の一定の時間量だけ増加させることを行うようにさらに構成される、請求項８に記載のユーザデバイス。
【請求項１２】
前記ＳｏｆｔＡＰは、第３のビーコン間隔を決定するために、前記第２のビーコン間隔を前記第１の一定の時間量だけ増加させることと、前記第２のビーコン間隔を用いた１つまたは複数のビーコンの送信の後に前記第２のビーコン間隔が前記第３のビーコン間隔に変更されることを示す指示を送信することとを行うようにさらに構成される、請求項１１に記載のユーザデバイス。
【請求項１３】
前記ＳｏｆｔＡＰは、
第２の一定の時間量を決定するために、前記第１の一定の時間量を第１の値だけ増加させることと、
第３のビーコン間隔を決定するために、前記第２のビーコン間隔を前記第２の一定の時間量だけ増加させることと、
前記第２のビーコン間隔を用いた１つまたは複数のビーコンの送信の後に前記第２のビーコン間隔が前記第３のビーコン間隔に変更されることを示す指示を送信することと、
を行うようにさらに構成される、請求項１１に記載のユーザデバイス。
【請求項１４】
前記ＳｏｆｔＡＰは、
第３の一定の時間量を決定するために、前記第２の一定の時間量を第２の値だけ増加させることと、ここにおいて、前記第２の値が前記第１の値の整数倍である、
第４のビーコン間隔を決定するために、前記第３のビーコン間隔を前記第３の一定の時間量だけ増加させることと、
前記第３のビーコン間隔を用いた１つまたは複数のビーコンの送信の後に前記第３のビーコン間隔が前記第４のビーコン間隔に変更されることを示す指示を送信することと、
を行うようにさらに構成される、請求項１３に記載のユーザデバイス。
【請求項１５】
前記ユーザデバイスがモバイルデバイスである、請求項８に記載のユーザデバイス。
【請求項１６】
デバイスのプロセッサによって実行されたとき、前記デバイスに、
ソフトウェア有効化アクセスポイント（ＳｏｆｔＡＰ）として働く前記デバイスから、ＳｏｆｔＡＰとして働く前記デバイスと通信している１つまたは複数の局に第１のビーコンを送信することと、
前記第１のビーコンに少なくとも部分的に基づいて、第１のビーコン間隔を決定することと、
ＳｏｆｔＡＰとして働く前記デバイスと通信している前記１つまたは複数の局の現在のデータアクティビティに少なくとも部分的に基づいて、第２のビーコン間隔を決定することと、
前記第１のビーコン間隔を前記第２のビーコン間隔に動的に変更することと、
前記第１のビーコン間隔にしたがって、前記１つまたは複数の局に、第２のビーコンを送信することと、ここにおいて、前記第２のビーコンは、前記第１のビーコン間隔を用いた１つまたは複数のビーコンの送信の後に前記第１のビーコン間隔が前記第２のビーコン間隔に変更されることを示す指示を含む、
を行わせるコンピュータ可読命令が記憶された非一時的なコンピュータ可読媒体。
【請求項１７】
前記第１のビーコン間隔が前記第２のビーコン間隔に変更されることを示す前記指示は、前記第２のビーコンの情報要素に含まれる、請求項１６に記載の非一時的なコンピュータ可読媒体。
【請求項１８】
前記第１のビーコン間隔を動的に変更するための前記命令は、前記第１のビーコン間隔を第１の一定の時間量だけ動的に増加するための命令を含む、請求項１６に記載の非一時的なコンピュータ可読媒体。
【請求項１９】
前記命令は、前記プロセッサによって実行されたとき、前記デバイスに、さらに、
第３のビーコン間隔を決定するために、前記第２のビーコン間隔を前記第１の一定の時間量だけ増加させることと、
前記第２のビーコン間隔を用いた１つまたは複数のビーコンの送信の後に前記第２のビーコン間隔が前記第３のビーコン間隔に変更されることを示す指示を送信することと、
を行わせる、請求項１８に記載の非一時的なコンピュータ可読媒体。
【請求項２０】
前記命令は、前記プロセッサによって実行されたとき、前記デバイスに、さらに、
第２の一定の時間量を決定するために、前記第１の一定の時間量を第１の値だけ増加させることと、
第３のビーコン間隔を決定するために、前記第２のビーコン間隔を前記第２の一定の時間量だけ増加させることと、
前記第２のビーコン間隔を用いた１つまたは複数のビーコンの送信の後に前記第２のビーコン間隔が前記第３のビーコン間隔に変更されることを示す指示を送信することと、
を行わせる、請求項１８に記載の非一時的なコンピュータ可読媒体。
【請求項２１】
前記命令は、前記プロセッサによって実行されたとき、前記デバイスに、さらに、
第３の一定の時間量を決定するために、前記第２の一定の時間量を第２の値だけ増加させることと、ここにおいて、前記第２の値が前記第１の値の整数倍である、
第４のビーコン間隔を決定するために、前記第３のビーコン間隔を前記第３の一定の時間量だけ増加させることと、
前記第３のビーコン間隔を用いた１つまたは複数のビーコンの送信の後に前記第３のビーコン間隔が前記第４のビーコン間隔に変更されることを示す指示を送信することと
を行わせる、請求項２０に記載の非一時的なコンピュータ可読媒体。
【請求項２２】
ユーザデバイスであって、
１つまたは複数のプロセッサと、
前記１つまたは複数のプロセッサによって実行されたとき、前記ユーザデバイスに、ソフトウェア有効化アクセスポイント（ＳｏｆｔＡＰ）として働くことを行わせる複数の機械可読命令を記憶するための１つまたは複数のメモリと、
を備え、前記ＳｏｆｔＡＰは、
前記ユーザデバイスから前記ユーザデバイスと通信している１つまたは複数の局に第１のビーコンを送信することと、
前記第１のビーコンに少なくとも部分的に基づいて、第１のビーコン間隔を決定することと、
前記ユーザデバイスと通信している前記１つまたは複数の局の現在のデータアクティビティに少なくとも部分的に基づいて、第２のビーコン間隔を決定することと、
前記第１のビーコン間隔を前記第２のビーコン間隔に動的に変更することと、
前記第１のビーコン間隔にしたがって、前記１つまたは複数の局に、第２のビーコンを送信することと、ここにおいて、前記第２のビーコンは、前記第１のビーコン間隔を用いた１つまたは複数のビーコンの送信の後に前記第１のビーコン間隔が前記第２のビーコン間隔に変更されることを示す指示を含む、
を行うように構成される、ユーザデバイス。
【請求項２３】
前記第１のビーコン間隔が前記第２のビーコン間隔に変更されることを示す前記指示は、前記第２のビーコンの情報要素に含まれる、請求項２２に記載のユーザデバイス。
【請求項２４】
前記ＳｏｆｔＡＰは、前記第１のビーコン間隔を動的に変更させるときに、前記第１のビーコン間隔を第１の一定の時間量だけ動的に増加させることを行うようにさらに構成される、請求項２２に記載のユーザデバイス。
【請求項２５】
前記ＳｏｆｔＡＰは、第３のビーコン間隔を決定するために、前記第２のビーコン間隔を前記第１の一定の時間量だけ増加させることと、前記第２のビーコン間隔を用いた１つまたは複数のビーコンの送信の後に前記第２のビーコン間隔が前記第３のビーコン間隔に変更されることを示す指示を送信することと、を行うようにさらに構成される、請求項２４に記載のユーザデバイス。
【請求項２６】
前記ＳｏｆｔＡＰは、
第２の一定の時間量を決定するために、前記第１の一定の時間量を第１の値だけ増加させることと、
第３のビーコン間隔を決定するために、前記第２のビーコン間隔を前記第２の一定の時間量だけ増加させることと、
前記第２のビーコン間隔を用いた１つまたは複数のビーコンの送信の後に前記第２のビーコン間隔が前記第３のビーコン間隔に変更されることを示す指示を送信することと、
を行うようにさらに構成される、請求項２４に記載のユーザデバイス。
【請求項２７】
前記ＳｏｆｔＡＰは、
第３の一定の時間量を決定するために、前記第２の一定の時間量を第２の値だけ増加させることと、ここにおいて、前記第２の値が前記第１の値の整数倍である、
第４のビーコン間隔を決定するために、前記第３のビーコン間隔を前記第３の一定の時間量だけ増加させることと、
前記第３のビーコン間隔を用いた１つまたは複数のビーコンの送信の後に前記第３のビーコン間隔が前記第４のビーコン間隔に変更されることを示す指示を送信することと、
を行うようにさらに構成される、請求項２６に記載のユーザデバイス。
【請求項２８】
ソフトウェア有効化アクセスポイント（ＳｏｆｔＡＰ）として働くことを可能にされる装置であって、
第１のビーコン間隔にしたがって、前記装置と通信している１つまたは複数の局に第１のビーコンを送信するための手段と、
前記装置と通信している前記１つまたは複数の局のデータアクティビティに基づいて、前記第１のビーコン間隔を第２のビーコン間隔に動的に変更するための手段と、
前記第１のビーコン間隔を用いた１つまたは複数のビーコンの送信の後に前記第１のビーコン間隔が前記第２のビーコン間隔に変更されることを示す指示を含む第２のビーコンを、前記第１のビーコン間隔にしたがって、前記装置によって送信するための手段と、
を備える、装置。